(57)【要約】【課題】運転中のコミュニケーションを容易に行うことができ、しかも車窓に簡単に取り付けられる安価な車両用表情表示装置を提供すること。【解決手段】表示される目、鼻、口の形状を所定のパターンで変えることによって異なる顔の表情を表示する表示ユニットと、当該表示ユニットを車窓に取り付けるための取付具を装備する。【選択図】  図１
0003154834.tif 000002
【実用新案登録請求の範囲】
【請求項１】
車両用表情表示装置であって、
表示される目、鼻、口の形状を所定のパターンで変えることによって異なる顔の表情を表示する表示ユニットと、当該表示ユニットを車窓に取り付けるための取付具を備えていることを特徴とする車両用表情表示装置。
【請求項２】
前記表示ユニットが、眼の形状に配列された第１のLED群及び第２のLED群、鼻の形状に配列された第３のLED群、口の形状に配列された第４のLED群がそれぞれ右眼、左眼、鼻、口の該当位置に配置され、所定のパターンで前記第１のLED群、前記第２のLED群、前記第３のLED群、前記第４のLED群のそれぞれの中の一部又は全てのLEDが点灯・点滅されることによって、異なる表情を表示するものであることを特徴とする請求項１記載の車両用表情表示装置。
【請求項３】
前記表示ユニットが、それぞれマトリックス状に配列された、第１のLED群、第２のLED群、第３のLED群、第４のLED群が右眼、左眼、鼻、口の該当位置に配置され、所定のパターンで前記第１のLED群と、前記第２のLED群と、前記第３のLED群と、前記第４のLED群のそれぞれの中の少なくとも一部のLEDが点灯・点滅されることによって、異なる表情を表示するものであることを特徴とする請求項１記載の車両用表情表示装置。
【請求項４】
前記表示ユニットの表示・非表示及び表示パターンを外部から制御するためのリモコンを更に備えていることを特徴とする請求項２又は請求項３に記載の車両用表情表示装置。
【請求項５】
前記取付具として、吸盤が採用されていることを特徴とする請求項１〜４のいずれかの項に記載の車両用表情表示装置。
【請求項６】
前記表示ユニットが、車両の電源ソケットから電源を取り出して使用するコンセント及び電源コードを備えているものであることを特徴とする請求項１〜５のいずれかの項に記載の車両用表情表示装置。
【請求項７】
前記リモコンが、車両の電源ソケットから電源を取り出して使用するコンセントを備えているものであることを特徴とする請求項４記載の車両用表情表示装置。
【考案の詳細な説明】
【技術分野】
【０００１】
本考案は電光表示装置に関し、より詳細にはドライバーの気持を外部に伝えるために用いられる車両用表情表示装置に関する。
【背景技術】
【０００２】
交通安全性を向上させ、道路上でのトラブルを防ぐためには、車両を運転するドライバー同士の間のコミュニケーションは重要である。車両間のコミュニケーションを取るための手段として、音声案内、車両の外部に取り付けられるメッセージ表示装置などが提案されている。例えば、特許文献１に開示されている、前走している車から後続車にメッセージを伝達する自動車のメッセージ伝達装置がある。このメッセージ伝達装置は、車両外部の後方部に取り付けられ、後続車に伝えるメッセージを表示するLED表示部と、車内においてLED表示部を制御し、表示用データを入力するための制御部とを備えている。ドライバーは車内で制御部を操作することによって、LED表示部に表示されるメッセージを選択する。このメッセージ伝達装置によれば、ドライバーは自車の運転状況または交通情報などを表すメッセージを後続車に伝達することができる。
【０００３】
しかしながら、このような表示装置は、一般的に車両の外部に取り付けられるものであり、車両のオプションとして搭載されるため、使用者にとってコストの高いものになってしまう。また、メッセージを介してより複雑な情報を伝えるには便利であるが、人間の気持を伝える場合、メッセージの他にも様々な形態が考えられる。例えば、顔の表情を表してドライバーの気持を伝えることによって、運転中のコミュニケーションを簡単に行うことができる。
【先行技術文献】
【特許文献】
【０００４】
【特許文献１】特開平８−１２７２９１号公報
【考案の概要】
【課題を解決するための手段及びその効果】
【０００５】
本考案は上記課題に鑑みなされたものであって、運転中のコミュニケーションを容易に行うことができ、しかも車窓に簡単に取り付けられる安価な車両用表情表示装置を提供することを目的としている。
【０００６】
上記目的を達成するために、本考案に係る車両用表情表示装置（１）は、表示される目、鼻、口の形状を所定のパターンで変えることによって異なる顔の表情を表現する表示ユニットと、当該表示ユニットを車窓に取り付けるための取付具を備えていることを特徴としている。
【０００７】
上記車両用表情表示装置（１）によれば、車窓に取り付けられ、表示される目、鼻、口の形状を所定のパターンで変えることによって異なる顔の表情を表現することができるため、ドライバーの気持ちを近くにいる車両のドライバーに直観的に伝えることができ、運転中のコミュニケーションを容易に行うことができる。
【０００８】
また、本考案に係る車両用表情表示装置（２）は、上記車両用表情表示装置（１）において、前記表示ユニットが、眼の形状に配列された第１のLED群及び第２のLED群、鼻の形状に配列された第３のLED群、口の形状に配列された第４のLED群がそれぞれ右眼、左眼、鼻、口の該当位置に配置され、所定のパターンで第１のLED群、第２のLED群、第３のLED群、第４のLED群のそれぞれの中の一部又は全てのLEDが点灯・点滅されることによって、異なる表情を表示するものであることを特徴としている。
【０００９】
上記車両用表情表示装置（２）によれば、複数のLED群を用いて、簡単な電気回路によって異なる顔の表情を表現することができるため、安価な車両用表情表示装置を実現することができる。
【００１０】
また、本考案に係る車両用表情表示装置（３）は、上記車両用表情表示装置（１）において、前記表示ユニットが、それぞれマトリックス状に配列された、第１のLED群、第２のLED群、第３のLED群、第４のLED群が右眼、左眼、鼻、口の該当位置に配置され、所定のパターンで第１のLED群と、第２のLED群と、第３のLED群と、第４のLED群のそれぞれの中の少なくとも一部のLEDが点灯・点滅されることによって、異なる表情を表示するものであることを特徴としている。
【００１１】
上記車両用表情表示装置（３）によれば、マトリックス状に配列された複数のLED群を用いて、異なる顔の表情を簡単に表示するだけではなく、動的な顔の表情も表現することができるため、安価で表情豊かな車両用表情表示装置を実現することができる。
【００１２】
また、本考案に係る車両用表情表示装置（４）は、上記車両用表情表示装置（２）又は（３）において、表示ユニットの表示・非表示及び表示パターンを外部から制御するためのリモコンを更に備えていることを特徴としている。
【００１３】
上記車両用表情表示装置（４）によれば、使用者は前記リモコンを操作して、車両用表情表示装置の表示・非表示及び表示パターンを制御することができる。
【００１４】
また、本考案に係る車両用表情表示装置（５）は、上記車両用表情表示装置（１）〜（４）のいずれかにおいて、前記取付具として、吸盤が採用されていることを特徴としている。
【００１５】
上記車両用表情表示装置（５）によれば、車両用表情表示装置を前記吸盤によって車窓に脱着自在に取り付けることができる。
【００１６】
また、本考案に係る車両用表情表示装置（６）は、上記車両用表情表示装置（１）〜（５）のいずれかにおいて、前記表示ユニットが、車両の電源ソケットから電源を取り出して使用するコンセント及び電源コードを備えているものであることを特徴としている。
【００１７】
上記車両用表情表示装置（６）によれば、車両の電源ソケットから電源を取り出して、前記表示ユニットに供給することができるため、電池を電源として使用しない薄いタイプの表示ユニットを構成することができる。
【００１８】
また、本考案に係る車両用表情表示装置（７）は、上記車両用表情表示装置（４）において、前記リモコンが車両の電源ソケットから電源を取り出して使用するコンセントを備えているものであることを特徴としている。
【００１９】
上記車両用表情表示装置（７）によれば、車両の電源ソケットから電源を取り出して前記リモコンに供給することができるため、前記リモコンをコンパクトに構成することができる。
【図面の簡単な説明】
【００２０】
【図１】本考案の実施の形態（１）に係る車両用表情表示装置を概略的に示した正面図である。
【図２】実施の形態（１）に係る車両用表情表示装置を概略的に示した背面図である。
【図３】実施の形態（１）に係る車両用表情表示装置を構成するリモコンを概略的に示した斜視図である。
【図４Ａ】実施の形態（１）に係る車両用表情表示装置の表示パターンAを示した図である。
【図４Ｂ】実施の形態（１）に係る車両用表情表示装置の表示パターンBを示した図である。
【図４Ｃ】実施の形態（１）に係る車両用表情表示装置の表示パターンCを示した図である。
【図４Ｄ】実施の形態（１）に係る車両用表情表示装置の表示パターンDを示した図である。
【図４Ｅ】実施の形態（１）に係る車両用表情表示装置の表示パターンEを示した図である。
【図５】実施の形態（１）に係る車両用表情表示装置の表示ユニットの電気回路を概略的に示したブロック図である。
【図６】本考案の実施の形態（２）に係る車両用表情表示装置を概略的に示した正面図である。
【図７Ａ】実施の形態（２）に係る車両用表情表示装置の表示パターンAを示した図である。
【図７Ｂ】実施の形態（２）に係る車両用表情表示装置の表示パターンBを示した図である。
【考案を実施するための形態】
【００２１】
以下、本考案に係る車両用表情表示装置の実施の形態を図面に基づいて説明する。
【００２２】
図１は、本考案の実施の形態（１）に係る車両用表情表示装置を概要的に示した正面図である。図１に示したように、車両用表情表示装置Ａの表示ユニット１０は、円形の筐体１１と、筐体１１の中に設置された基板１２と、基板１２の上に設置された右眼を表示するための第１のLED群１３１（８個のLED）、左眼を表示するための第２のLED群１３２（８個のLED）、鼻を表示するための第３のLED群１３３（１個のLED）、口を表示するための第４のLED群１３４（２５個のLED）とを備えている。筐体１１の上面には透明ガラス（図示せず）が設置され、基板１２及びLED群１３１〜１３４を上から覆うようになっている。第１のLED群１３１、第２のLED群１３２、第３のLED群１３３、第４のLED群１３４はそれぞれ右眼、左眼、鼻、口に該当する位置に配置されている。
【００２３】
図２は、実施の形態（１）に係る車両用表情表示装置を概略的に示した背面図である。図２に示したように、車両用表情表示装置Ａの表示ユニット１０は、更に、筐体１１の背面に設置された電池部１５２と、電源コネクター１５１と、受信部１７とを備えている。電源コネクター１５１は車両の電源ソケットから電源を取り出す電源コードのコンセント（図示せず）を接続するために設けられたものであり、受信部１７は外部から無線信号を受信するためのものである。また、筐体１１の背面にはフレーム１４が設置され、フレーム１４には細長い開口１４１が形成されており、吸盤２０の取付ボルト２１が開口１４１を貫通して吸盤２０をフレーム１４に固定できるようになっている。開口１４１は一定な長さを有しており、吸盤２０の位置を必要に応じて調整することができるようになっている。吸盤２０を車窓（図示せず）のガラスに吸着させることによって、表示ユニット１０を車窓に簡単に取り付けることができ、基板１２に設置されたLED表示群１３１〜１３４で表示される顔が車窓の外から見えるようになっている。
【００２４】
図３は、実施の形態（１）に係る車両用表情表示装置を構成するリモコンを概略的に示した斜視図である。図３に示したように、リモコン３０には、制御信号を発信する発信部３６と、後記する表示パターンA〜Eとそれぞれ対応した操作ボタン３１〜３５が設置されている。リモコン３０は台座３７の上に設置され、台座３７に設けられた調節ボルト３８を調整することによって設置角度が調節可能になっている。台座３７の底面には吸盤４０が取り付けられ、この吸盤４０によって、リモコン３０を車窓などに取り付けることができるようになっている。操作ボタン３１〜３５のうちのいずれかを１回押すと、押したボタンに対応する表示パターンの点灯表示を行わせるための制御信号が送信部３６を介して、表示ユニット１０の受信部１７へ送信され、また、操作ボタン３１〜３５のうちのいずれかを２回連続押すと、押したボタンに対応する表示パターンの点滅表示を行わせるための制御信号が送信部３６を介して、表示ユニット１０の受信部１７へ送信され、更に、表示状態において、表示中のパターンと対応した操作ボタンを１回押すと、点灯・点滅が終了するようになっている。
【００２５】
図４A〜４Eはそれぞれ、実施の形態（１）に係る車両用表情表示装置の表示パターンA〜Eを示した図であり、但し、「●」は点灯しているLEDを示し、「○」は点灯していないLEDを示している。表示パターンA（図４A）は通常の表情を表し、表示パターンB（図４B）は片方の目が閉じた表情（ウインク）を表し、表示パターンC（図４C）は驚いた表情を表し、表示パターンD（図４D）は不愉快な表情を表し、表示パターンE（図４E）は怒った表情を表すようになっている。
【００２６】
図５は、実施の形態（１）に係る車両用表情表示装置の表示ユニットの電気回路を概略的に示したブロック図である。図５に示したように、表示ユニット１０の電気回路は主に電源１５３と、受信回路１７１と第１のLED群１３１、第２のLED群１３２、第３のLED群１３３、第４のLED群１３４と、スイッチ１８１〜１８５とを含んで構成されている。図４Aにおける第１のLED群１３１の中の●で示したLEDと、第２のLED群１３２の中の●で示したLEDと、第３のLED群１３３の中の●で示したLEDと、第４のLED群１３４の中の●で示したLEDとがスイッチ１８１を介して電源１５３と並列に接続されて表示パターンAを表示するための回路を構成しており、図４Bにおける第１のLED群１３１の中の●で示したLEDと、第２のLED群１３２の中の●で示したLEDと、第３のLED群１３３の中の●で示したLEDと、第４のLED群１３４の中の●で示したLEDとがスイッチ１８２を介して電源１５３と並列に接続されてパターンBを表示するための回路を構成し、図４Cにおける第１のLED群１３１の中の●で示したLEDと、第２のLED群１３２の中の●で示したLEDと、第３のLED群１３３の中の●で示したLEDと、第４のLED群１３４の中の●で示したLEDとがスイッチ１８３を介して電源１５３と並列に接続されてパターンCを表示するための回路を構成しており、図４Dにおける第１のLED群１３１の中の●で示したLEDと、第２のLED群１３２の中の●で示したLEDと、第３のLED群１３３の中の●で示したLEDと、第４のLED群１３４の中の●で示したLEDとがスイッチ１８４を介して電源１５３と並列に接続されてパターンDを表示するための回路を構成しており、図４Eにおける第１のLED群１３１の中の●で示したLEDと、第２のLED群１３２の中の●で示したLEDと、第３のLED群１３３の中の●で示したLEDと、第４のLED群１３４の中の●で示したLEDとがスイッチ１８５を介して電源１５３と並列に接続されてパターンEを表示するための回路を構成している。
【００２７】
受信回路１７１は電源１５３と並列に接続され、リモコン３０の送信部１７から送信されてくる制御信号を受信し、受信した制御信号が表示パターンAと対応したボタン３１による点灯指示であれば、スイッチ１８１をオンにして回路の電源を入れることにより、図４Aに示した表情を点灯表示し、受信した制御信号が表示パターンBと対応したボタン３２による点灯指示であれば、スイッチ１８２をオンにして回路の電源を入れることにより、図４Bに示した表情を点灯表示し、受信した制御信号が表示パターンCと対応したボタン３３による操作指示であれば、スイッチ１８３をオンにして回路の電源を入れることにより、図４Cに示した表情を点灯表示し、受信した制御信号が表示パターンDと対応したボタン３４による点灯指示であれば、スイッチ１８４をオンにして回路の電源を入れることにより、図４Dに示した表情を点灯表示し、受信した制御信号が表示パターンEと対応したボタン３５による点灯指示であれば、スイッチ１８５をオンにして回路の電源を入れることにより、図４Eに示した表情を点灯表示するようになっている。
【００２８】
また、受信回路１７１は、受信した制御信号が点滅指示である場合、上記動作と異なり、該当のスイッチを単にオンするではなく、一定な周期でスイッチングすることにより該当のLEDを点滅させるようになっている。
【００２９】
また、受信回路１７１は表示状態において、更に操作信号を受信すると、表示中の回路におけるスイッチをオフにするようになっている。
【００３０】
上記した実施の形態（１）に係る車両用表情表示装置によれば、複数のLED群１３１、１３２、１３３、１３４を用いて、簡単な構成で異なるパターンの表情を表現することができ、また、吸盤２０で表示ユニット１０を脱着自在に任意の車窓に取り付けることができ、更に、リモコン３０によって簡単に操作することができる。
【００３１】
上記した実施の形態（１）に係る車両用表情表示装置Ａにおいては、表示ユニット１０に電池と車両の電源ソケットからの電源との両方を使える構成としているが、電源ソケットからの電源のみを使用するタイプとする場合、電池収納用スペースを省略して表示ユニットを更に薄くすることができる。
【００３２】
また、本考案の車両用表情表示装置で表示される表情は図４A〜Eに示した表示パターンA〜Eに限らず、第１〜第４のLED群の配列の形状を変更することにより、又は点灯・点滅のLEDのパターンを変更することにより、様々な表情を表現することが可能なものである。
【００３３】
次に、本考案の実施の形態（２）に係る車両用表情表示装置を図面に基づいて説明する。図６は本考案の実施の形態（２）に係る車両用表情表示装置Ｂを概要的に示した正面図である。図６に示したように、車両用表情表示装置Ｂの表示ユニット１０aは、円形の筐体１１aと、筐体１１aの中に設置された基板１２aと、基板１１aの上に設置された右眼を表示するための第１のLED群１３１a、左眼を表示するための第２のLED群１３２a、鼻を表示するための第３のLED群１３３a、口を表示するための第４のLED群１３４aとを備えている。筐体１１aの上面には透明ガラス（図示せず）が設置され、基板１２a及びLED群１３１a〜１３４aを上から覆うようになっている。マトリックス状のLEDからなる、第１のLED群１３１a、第２のLED群１３２a、第３のLED群１３３a、第４のLED群１３４aはそれぞれ右眼、左眼、鼻、口に該当する位置に配置されている。また、筐体１１ａの背面にはフレーム１４aが設置され、フレーム１４ａには吸盤２０a取り付けられている。
【００３４】
表示ユニット１０aの背面の構成、及び電気回路の構成などは表示ユニット１０と同じであるため、その他の説明は省略する。図７A、図７Bはそれぞれ表示ユニット１０aの表示パターンの例を示しており、図７A、Bに示したように、マトリックス状のLED群によって眼、鼻、口をより細かく表現することができる。更に、異なるパターンを連続的に切り替えることによって、動的な表示も可能になる。  
【符号の説明】
【００３５】
１０、１０a    表示ユニット  ・・・
１１、１１a    筐体
１２、１２a    基板
１３１、１３２、１３３、１３４        LED群
１３１a、１３２a、１３３a、１３４a    LED群
１４、１４a    フレーム
１４１    開口
１５１    電源コネクター
１５２    電池部
１５３    電源
１７      受信部
１７１    受信回路
１８１、１８２、１８３、１８４、１８５    スイッチ
２０      吸盤
２１      吸盤ボルト
３０      リモコン
３１、３２、３３、３４、３５    操作ボタン
３６      送信部
３７      台座
３８      調節ボルト
４０      吸盤
【図１】
0003154834.tif 000003
【図２】
0003154834.tif 000004
【図３】
0003154834.tif 000005
【図４Ａ】
0003154834.tif 000006
【図４Ｂ】
0003154834.tif 000007
【図４Ｃ】
0003154834.tif 000008
【図４Ｄ】
0003154834.tif 000009
【図４Ｅ】
0003154834.tif 000010
【図５】
0003154834.tif 000011
【図６】
0003154834.tif 000012
【図７Ａ】
0003154834.tif 000013
【図７Ｂ】
0003154834.tif 000014